(57)【特許請求の範囲】
【請求項１】
少なくとも１つの突出を有し、表示部と非表示部を有し、前記表示部と前記非表示部は、互いに隣接するするパネル、
少なくとも１つの弾性位置決め固定素子を有し、前記弾性位置決め固定素子と前記突出は、互いに隣接するフレーム、
前記フレームと前記パネルを収容する下カバー、及び
前記下カバーを覆う上カバーを含み、
前記非表示部は、前記表示部の一方側から延びる上表面を有し、
前記突出は、前記非表示部の前記上表面の上に設置され、
前記パネルは、第一方向に前記フレームに押し入れ、前記弾性位置決め固定素子を第二方向に変形させ、前記突出と前記弾性位置決め固定素子とは互いに係合して固定され、
前記非表示部は、前記フレームと前記弾性位置決め固定素子とにより第三方向に保持され、
前記第一方向と前記第二方向とは互いに垂直であり、前記第一方向及び前記第二方向のそれぞれは、前記第三方向と互いに垂直である、液晶ディスプレイ。
【請求項２】
前記フレームは、留め側壁を更に有し、前記弾性位置決め固定素子は、前記留め側壁より延伸されて出ている請求項１に記載の液晶ディスプレイ。
【請求項３】
前記弾性位置決め固定素子は、フックであることができ、前記フックは前記突出に係合する請求項１に記載の液晶ディスプレイ。
【請求項４】
前記フックの端は、面取り角を有する請求項３に記載の液晶ディスプレイ。
【請求項５】
前記フレームはプラスチック材料、または金属材料より形成される請求項１に記載の液晶ディスプレイ。
【請求項６】
前記突出は、絶縁材料より形成される請求項１に記載の液晶ディスプレイ。
【請求項７】
前記突出は、少なくとも１つの面取り角を有する請求項１に記載の液晶ディスプレイ。
【請求項８】
請求項１に記載の液晶ディスプレイ、及び
前記液晶ディスプレイと接合され、前記液晶ディスプレイに出力を提供し、前記液晶ディスプレイに画像を表示する入力ユニットを含む電子装置。
【発明の詳細な説明】
【技術分野】
【０００１】
本発明は、液晶ディスプレイに関し、特に、フレームのサイズを縮小して液晶ディスプレイの小型化設計を向上する、小幅のフレームと位置決め装置を有する液晶ディスプレイに関するものである。
【背景技術】
【０００２】
図１は、従来の液晶ディスプレイの分解図である。図２は、上カバーを取り除いた従来の液晶ディスプレイの上面図である。図１と図２を同時に参照下さい。従来の液晶ディスプレイ１０は、パネル１０１、プラスチックフレーム１０２、上カバー１０４と、下カバー１０３を含む。プラスチックフレーム１０２とパネル１０１は、下カバー１０３の中に収容されて、上カバー１０４を用いて下カバー１０３の上方を覆うことができる。プラスチックフレーム１０２は、囲み部１０２ａと支持部１０２ｂを有する。囲み部１０２ａは、パネル１０１を囲み、支持部１０２ｂは、パネル１０１の下方に設置され（図３に示されるように）、囲み部１０２ａと支持部１０２ｂが一体成形の構造からなる。
【０００３】
上述よりわかるように、従来の液晶ディスプレイ１０は、プラスチックフレーム１０２を用いてパネル１０１を囲んで、パネル１０１をプラスチックフレーム１０２の中に位置決め固定する（Ｘ方向とＹ方向）。よって、液晶ディスプレイ１０の長さ、幅のサイズは、下カバー１０３、プラスチックフレーム１０２の囲み部１０２ａとパネル１０１（図３に示されるように）を含む。よって、従来の液晶ディスプレイ１０は、フレームのサイズを縮減して商品の小型化の主な需要に適合させる、小幅のフレームを用いることができない。
【発明の概要】
【発明が解決しようとする課題】
【０００４】
液晶ディスプレイを提供する。
【課題を解決するための手段】
【０００５】
パネル、フレーム、下カバーと、上カバーを含む液晶ディスプレイを提供する。パネルは、少なくとも１つの突出を有する。フレームは少なくとも１つの弾性位置決め固定素子を有し、弾性位置決め固定素子と突出は、互いに隣接する。下カバーは、フレームとパネルを収容する。上カバーは下カバーを覆う。
【０００６】
フレームは、留め側壁を更に有し、弾性位置決め固定素子は、留め側壁より延伸されて出ている。
【０００７】
弾性位置決め固定素子は、フックであることができ、フックは突出に係合する。
【０００８】
フックの端は、面取り角を有する。
【０００９】
フレームはプラスチック材料より形成される。
【００１０】
フレームは金属材料より形成される。
【００１１】
パネルは、表示部と非表示部を有する。表示部と非表示部は、互いに隣接する。
【００１２】
非表示部は上表面を有し、突出は上表面に設置される。
【００１３】
突出は、絶縁材料より形成される。
【００１４】
突出は、回路レイアウトのない回路板であることができる。
【００１５】
突出は、面取り角を有する。
【００１６】
フレームの下方に設置された上プリズムシート、上プリズムシートの下方に設置された下プリズムシート、下プリズムシートの下方に設置された拡散板、拡散板の下方に設置された導光板、導光板の下方に設置された反射板と、前記反射板の下方に設置された複数の発光ダイオード。
【発明の効果】
【００１７】
本発明の液晶ディスプレイは、パネルの突出と弾性位置決め固定素子を用いて、従来の液晶ディスプレイのプラスチックフレームの囲み部と置き換えることで、従来の液晶ディスプレイの囲み部の厚さをなくして、パネルの位置決め固定の問題（Ｘ方向とＹ方向）を解決し、フレームのサイズを縮減して商品の小型化設計の主な需要に適合させている。
【図面の簡単な説明】
【００１８】
【図１】従来の液晶ディスプレイの分解図である。
【図２】上カバーを取り除いた従来の液晶ディスプレイの上面図である。
【図３】図２のラインＡ−Ａの断面図である。
【図４】本発明に基づいた液晶ディスプレイの中の１つの実施例を示している。
【図５】上カバーを含まない、図４に基づいた液晶ディスプレイの上面図である。
【図６】図５のラインＡ−Ａの断面図である。
【図７Ａ】本発明の液晶ディスプレイのパネルとフレームの組み立て過程の側面図を示している。
【図７Ｂ】図７Ａの立体図である。
【図８Ａ】本発明の液晶ディスプレイのパネルとフレームの組み立て過程の側面図を示している。
【図８Ｂ】８Ａの立体図である。
【図８Ｃ】図８Ｂに基づいた弾性位置決め固定素子と突出が互いに隣接した局部拡大図である。
【図９Ａ】本発明の液晶ディスプレイのパネルとフレームの組み立て過程の側面図を示している。
【図９Ｂ】９Ａの立体図である。
【図１０】電子装置に用いる本発明に基づいた液晶ディスプレイ実施例の概略図である。
【発明を実施するための形態】
【００１９】
本発明についての目的、特徴、長所が一層明確に理解されるよう、以下に実施形態を例示し、図面を参照にしながら、詳細に説明する。
【実施例】
【００２０】
図４は、本発明に基づいた液晶ディスプレイの中の１つの実施例を示している。図５は、上カバーを含まない、図４に基づいた液晶ディスプレイの上面図である。図６は、図５のラインＡ−Ａの断面図である。図４、図５と、図６を同時に参照下さい。本発明の液晶ディスプレイ２０は、パネル２０１、フレーム２０２、下カバー２０３、上カバー２０４、上プリズムシート２０５、下プリズムシート２０６、拡散板２０７、導光板２０８、反射板２０９と、複数の発光ダイオード２１０を含む。各素子の構造と連結関係は、下記の通りである。
【００２１】
パネル２０１は、フレーム２０２の上方に設置される。上プリズムシート２０５は、フレーム２０２の下方に設置される。下プリズムシート２０６は、上プリズムシート２０５の下方に設置される。拡散板２０７は、下プリズムシート２０６の下方に設置される。導光板２０８は、拡散板２０７の下方に設置される。反射板２０９は、導光板２０８の下方に設置される。複数の発光ダイオード２１０は、反射板２０９の下方に設置される。フレーム２０２、上プリズムシート２０５、下プリズムシート２０６、拡散板２０７、導光板２０８、反射板２０９、複数の発光ダイオード２１０と、パネル２０１は、全て下カバー２０３の中に収容されることができ、上カバー２０４は、下カバー２０３の上方を覆う。フレーム２０２は、プラスチック材料または金属材料より形成される。
【００２２】
パネル２０１は、表示部２０１ａと非表示部２０１ｂを有し、表示部２０１ａと非表示部２０１ｂの両方は、互いに隣接する。非表示部２０１ｂは、上表面２０１１と少なくとも１つの突出２０１２を有する。突出２０１２は、非表示部２０１ｂの上表面２０１１上に設置される。突出２０１２は、絶縁材料によって形成され（回路レイアウトのない回路板）、突出２０１２は、面取り角２０１２ａ、２０１２ａ’を有する。
【００２３】
フレーム２０２は、留め側壁２０２１と弾性位置決め固定素子２０２２、２０２２’を有する。弾性位置決め固定素子２０２２、２０２２’は、留め側壁２０２１より延伸されて出ており、パネル２０１の突出２０１２と互いに隣接する。弾性位置決め固定素子２０２２、２０２２’は、フックであることができ、突出２０１２に係合する。突出２０１２の端は、面取り角２０２２ａ、２０２２ａ’を有する。
【００２４】
図７Ａ、８Ａ、９Ａは、本発明の液晶ディスプレイのパネルとフレームの組み立て過程の側面図を示しており、図７Ｂ、８Ｂ、９Ｂは、図７Ａ、８Ａと、９Ａの立体図にそれぞれ対応する。図８Ｃは、図８Ｂの弾性位置決め固定素子と突出が互いに隣接した局部拡大図である。図７Ａ〜７Ｂ、図８Ａ〜８Ｃと、図９Ａ〜９Ｂを同時に参照下さい。まずパネル２０１をフレーム２０２の上方に設置し、矢印Ａの方向に押し入れる。突出２０１２の面取り角２０１２ａ、２０１２ａ’と弾性位置決め固定素子２０２２、２０２２’の面取り角２０２２ａ、２０２２ａ’が互いに隣接した時、弾性位置決め固定素子２０２２、２０２２’は、突出２０１２の圧力を受けて、矢印Ｂの方向と矢印Ｂ’の方向にそれぞれ変形する。この時、突出２０１２と弾性位置決め固定素子２０２２、２０２２’は、面取り角２０１２ａ、２０１２ａ’と面取り角２０２２ａ、２０２２ａ’の導引によって、突出２０１２を弾性位置決め固定素子２０２２、２０２２’の間に導入し、弾性位置決め固定素子２０２２、２０２２’を用いて、その中に突出２０１２を係合して固定してパネル２０１とフレームの組み立てプロセスとパネル２０１の位置決め固定（Ｘ方向とＹ方向）を完成する。
【００２５】
図１０を参照下さい。本発明の液晶ディスプレイ２０は、パネル２０１、フレーム２０２、下カバー２０３と、上カバー２０４を含む。
【００２６】
上述の液晶ディスプレイ２０は、電子装置２００に用いられることができる。電子装置２００では、液晶ディスプレイ２０は、入力ユニット１００に接続される。入力ユニット１００は、液晶ディスプレイ２０に対して入力を提供し、液晶ディスプレイ２０に画像を表示させる。
【００２７】
上述の電子装置２００は、携帯電話、デジタルカメラ、ＰＤＡ、ノート型パソコン、デスクトップ型パソコン、テレビ、カーディスプレイ、または携帯型ＤＶＤプレーヤーであることができる。
【００２８】
上述よりわかるように、本発明の液晶ディスプレイ２０は、パネル２０１の突出２０１２と弾性位置決め固定素子２０２２、２０２２’を用いて、従来の液晶ディスプレイ１０のプラスチックフレーム１０２の囲み部１０２ａと置き換えることで、従来の液晶ディスプレイ１０の囲み部１０２ａの厚さ（図６に示されるように）をなくして、パネルの位置決め固定の問題（Ｘ方向とＹ方向）を解決し、フレーム２０２のサイズを縮減して商品の小型化設計の主な需要に適合させている。
【符号の説明】
【００２９】
１０、２０  液晶ディスプレイ
１０１、２０１  パネル
１０２  プラスチックフレーム
１０２ａ  囲み部
１０２ｂ  支持部
１０３  下カバー
１０４  上カバー
２０１  パネル
２０１ａ  表示部
２０１ｂ  非表示部
２０１１  上表面
２０１２  突出
２０１２ａ、２０１２ａ’、２０２２ａ、２０２２ａ’、  面取り角
２０２  フレーム
２０２１  留め側壁
２０２２、２０２２’  弾性位置決め固定素子
２０３  下カバー
２０４  上カバー
２０５  上プリズムシート
２０６  下プリズムシート
２０７  拡散板
２０８  導光板
２０９  反射板
２１０  発光ダイオード２１０
Ａ  矢印Ａの方向
Ｂ  矢印Ｂの方向
【図１】
0005557269.tif 000002
【図２】
0005557269.tif 000003
【図３】
0005557269.tif 000004
【図４】
0005557269.tif 000005
【図５】
0005557269.tif 000006
【図６】
0005557269.tif 000007
【図７Ａ】
0005557269.tif 000008
【図７Ｂ】
0005557269.tif 000009
【図８Ａ】
0005557269.tif 000010
【図８Ｂ】
0005557269.tif 000011
【図８Ｃ】
0005557269.tif 000012
【図９Ａ】
0005557269.tif 000013
【図９Ｂ】
0005557269.tif 000014
【図１０】
0005557269.tif 000015